(57)【要約】【課題】狭くて奥深い隙間にあるゴミやほこりを掃除することができる異物吸引装置と、異物を喉頭に詰らせた場合に緊急的に除去処置することができる異物吸引装置と、を夫々の機能を生かして共有することができる異物吸引装置の提供を図る。【解決手段】吸引ノズルホースと、スライド鞘管と、接続継手と、で構成され、吸引ノズルホースは、所定の長さを有する軟質の合成樹脂素材で形成され、該先端部は斜め楕円状に切断された吸引口を形成し、該吸引口の周縁には複数の凹凸状の吸い込み溝が施され、後端部は接続継手に連結されて成り、スライド鞘管は、所定の長さを有する硬質の合成樹脂素材で形成され、円周部の所定箇所には長さ方向に延設されるスリット溝を設けて吸引ノズルホースにスライド自在に被覆嵌合し、接続継手は、先端部は吸引ノズルホースに連結され、後端部は掃除機の吸引ホースに連結される嵌合形状を形成する手段を採る。【選択図】図１
2014039728.tif 000002
【特許請求の範囲】
【請求項１】
吸引ノズルホースと、スライド鞘管と、接続継手と、で構成される掃除機を利用した異物吸引装置であって、
前記吸引ノズルホースは、所定の長さを有する軟質の合成樹脂素材で形成され、先端部に斜め楕円状に切断される吸引口を形成し、該吸引口の周縁には複数の凹凸状の吸い込み溝を形成し、後端部が前記接続継手に連結されて成り、
前記スライド鞘管は、所定の長さを有する硬質の合成樹脂素材で形成され、円周部の所定箇所には長さ方向に延設されるスリット溝を設けて前記吸引ノズルホースにスライド自在に被覆嵌合して成り、
前記接続継手は、先端部が前記吸引ノズルホースに連結され、後端部に掃除機の吸引ホースに連結される嵌め合い形状を形成して成り、
前記吸引ノズルホースを自動車のダッシュボードや座席シートなどの隙間に方向自在に差し込んで掃除することができることを特徴とする異物吸引装置。
【請求項２】
前記吸引ノズルホースの先端部に、吸引ノズルと、マウスピースと、を連結して構成される掃除機を利用した異物吸引装置であって、
前記吸引ノズルは、所定の長さを有する軟質の合成樹脂素材で形成され、先端部には先端方向に向かってテーパ状に縮小する略球状の吸い口部を形成し、後端部が前記吸引ノズルホースの吸引口に連結して成り、
前記マウスピースは、前記吸引ノズルがスライド自在に挿通されるスライド貫通穴を設けると共に、装着状態において噛形との間に隙間を形成させる肉盗み部を設けて成り、
餅やゼリーなどの異物を喉頭に詰らせた状態において、該異物を前記吸引ノズルを用いて緊急的に除去処置することができることを特徴とする請求項１記載の異物吸引装置。
【発明の詳細な説明】
【技術分野】
【０００１】
本発明は、自動車のダッシュボードや座席シートなどの狭くて奥深い隙間にあるゴミやほこりを掃除することができる異物吸引装置と、餅やゼリーなどの異物を喉頭に詰らせた場合に緊急的に除去処置することができる異物吸引装置と、を夫々の機能を生かして共有することができる異物吸引装置に関する。
【背景技術】
【０００２】
従来より、自動車のダッシュボードや座席シートなどの狭くて奥深い隙間にあるゴミやほこりを掃除する手段としては、例えば、一端が掃除機本体に接続かつ連通された接続管の他端に取り付けられる隙間ノズルにおいて、幅が狭い平面ほぼ矩形状の筒状で、底面にほぼ矩形状の吸込口を有し、該吸込口からの空気を前記接続管および掃除機本体に送る吸込風路を備えたノズル部と、前記吸込風路および接続管に連通する送風路を有し、一端が前記接続管に連結される円筒状の連結部と、前記ノズル部の長手方向のいずれかの側に設けられ、前記ノズル部の側壁の上端部近傍から下端部にかけて前記吸込風路とほぼ平行な空気の取入れ風路を有する空気取入れ部と、前記ノズル部の側壁の下端部に設けられ、前記吸込風路と取入れ風路を連通する連通口とを備えたことを特徴とする「電気掃除機の隙間ノズル」（特許文献１）が提案されている。
【０００３】
しかしながら、かかる「電気掃除機の隙間ノズル」の提案は、硬質の合成樹脂で成型される隙間ノズルの形状が、幅が狭い平面ほぼ矩形状の筒状で、底面にほぼ矩形状の吸込口を有していることによって、その隙間ノズルを狭くて曲がりくねった奥深い隙間には差し込むことができないことから、自動車のダッシュボードや座席シートなどの隙間の掃除を容易にできるものではなかった。また、鴨居の隙間やタンスや照明器具の上面などの高所におけるゴミやほこりを掃除することができるものではなかった。
【０００４】
上記の問題点を解決しようとするべく、柔軟で自在に曲がる中空のホースと、一方の口がこのホースに接続可能な太さで他方の口が電気掃除機の吸い込み口に直接接続できる太さの接続管とをつなぎ合わせて一体化したものを、電気掃除機の吸い込み口に着脱可能としたことを特徴とする「細口ノズル」（特許文献２）が提案されている。
【０００５】
しかしながら、かかる「細口ノズル」の提案は、細口ノズルの吸い込み口の形状が真円状に切断されていることによって、吸引する際に細口ノズルの吸い込み口が掃除機の吸引力によって掃除される面と密着してしまうため、周辺のゴミやほこりを吸い込むことができないと共に、細口ノズルの吸い込み口の吸い込み角度を調整しながら作業を行わなければならず、狭い場所ではその吸い込み角度を確保できない場合があるという問題や、その吸い込み角度を維持する手首の疲労負担が強いられるなどの問題点があった。
【０００６】
一方、餅やゼリーなどの異物を喉頭に詰らせた場合に緊急的に除去処置することができる手段としては、先端が異物吸引部となって喉頭に挿入され、基端がホース接続部となって掃除機のホースに接続される筒状のノズル本体と、該ノズル本体にスライド可能に遊嵌されるマウスピースと、によって構成したことを特徴とする「喉頭異物吸引装置」（特許文献３）が提案されている。
【０００７】
しかしながら、かかる「喉頭異物吸引装置」の提案は、ノズル本体の先端部に位置する異物吸引部の形状が単純にホースを切断した形状であると共に何ら加工されていない異物吸引部を患者の喉頭部の喉下奥深くに挿入することは、患者の喉頭部を傷つけることになると共に、ノズル本体が長尺であることから、その異物吸引部の衛生状態を維持するには、収納状態も含めて極めて手間を要するものであった。さらにマウスピースの形状が患者の口部全体を覆ってしまうため、緊急処置する際に患者の喉頭に異物が詰った状態を視認することができない上に、手指を口部に差し込むことができないため、異物が詰った状態に合わせて舌部を押さえ込むなどの的確な異物除去処置作業ができないなどの問題があった。
【０００８】
また、同様に喉頭に詰った異物を緊急的に除去処置する手段として、筒状の本体後部は電気掃除機の吸気ホースとの嵌合部とし、前部には吸引ノズルを装着して成る「吸出器」（特許文献４）が提案されている。
【０００９】
しかしながら、かかる「吸出器」の提案は、上記の衛生上の問題と安全性の問題が解決されておらず、さらにマウスピースが備えられていないため、異物除去処置作業中に患者が歯を食いしばることによって吸引ノズルの通気孔が塞がれてしまって、掃除機の吸引力が低下するという問題点があり、さらに緊急処置する際に患者の喉頭に異物が詰った状態を視認することができない上に、上記の提案と同様に手指を口部に差し込むことができないため、喉頭に異物が詰った状況に合せて舌部を押さえ込むなどの的確な異物除去処置作業ができないといった問題があった。
【００１０】
また、同様に喉頭に詰った異物を緊急的に除去処置する手段として、掃除機のホースの先端側に接続され、当該掃除機の動作により、喉内の異物を先端側の吸引口から吸引して前記ホース側に案内する異物吸引ノズルにおいて、前記ホースに装着される隙間ノズルに接続可能な接続部を備え、前記接続部は、前記隙間ノズルの先端側を略密着状態で受容可能に設けられ、前記隙間ノズルに対し、所定の締付力を付与しながら嵌合することを特徴とする「異物吸引ノズル」（特許文献５）が提案されている。
【００１１】
しかしながら、かかる「異物吸引ノズル」の提案は、吸引ノズルの形状が主に掃除機のホース側に容易に接続し易く且つ不用意に外れ難い形状にすることに主眼がおかれている提案であって、緊急的な異物除去処理具としての衛生面、安全性、処置のし易さなどの処理機能を満たすものではなかった。
【００１２】
以上のように従来の異物吸引装置は、狭くて奥深いところにあるゴミやほこりを掃除することができないものであり、また老人や子供が餅やゼリーなどの異物を喉頭に詰らせた緊急時において除去処置することができないものであることから、これらの問題点を同時に解決することができる異物吸引装置が提供されることになれば、一般家庭において利便性と緊急性の上からも重宝されるものと思われるが、現在においては、その構成される部品構造が類似しているにも係わらず、一般家庭には常備されていないのが現状である。
【００１３】
本出願人は、以上のような従来の異物吸引装置の現状を鑑み、その構成される部品構造が類似している点に着目し、隙間掃除用の異物吸引装置と、喉頭用の異物吸引装置と、を夫々の機能を生かして共有することができないものかという着想下、自動車のダッシュボードや座席シートなどの狭くて奥深い隙間にあるゴミやほこりを掃除することができる異物吸引装置と、餅やゼリーなどの異物を喉頭に詰らせた場合に緊急的に除去処置することができる異物吸引装置と、を夫々の機能を生かして共有することができる異物吸引装置を開発し、本発明における「異物吸引装置」の提案に至るものである。
【先行技術文献】
【特許文献】
【００１４】
【特許文献１】特開２０００-９３３６１号公報
【特許文献２】実用新案登録第３１０２７８５号公報
【特許文献３】特開２００１-４６３８５号公報
【特許文献４】特開２００１-３７７６６号公報
【特許文献５】特開２００４-２２２８１５号公報
【発明の概要】
【発明が解決しようとする課題】
【００１５】
本発明は、上記問題点に鑑み、自動車のダッシュボードや座席シートなどの狭くて奥深い隙間にあるゴミやほこりを掃除することができる異物吸引装置と、餅やゼリーなどの異物を喉頭に詰らせた場合に緊急的に除去処置することができる異物吸引装置と、を夫々の機能を生かして共有することができる異物吸引装置の提供を図ることを課題とする。
【課題を解決するための手段】
【００１６】
上記課題を解決すべく、本発明の異物吸引装置は、吸引ノズルホースと、スライド鞘管と、接続継手と、で構成される掃除機を利用した異物吸引装置であって、前記吸引ノズルホースは、所定の長さを有する軟質の合成樹脂素材で形成され、先端部に斜め楕円状に切断される吸引口を形成し、該吸引口の周縁には複数の凹凸状の吸い込み溝を形成し、後端部が前記接続継手に連結されて成り、前記スライド鞘管は、所定の長さを有する硬質の合成樹脂素材で形成され、円周部の所定箇所には長さ方向に延設されるスリット溝を設けて前記吸引ノズルホースにスライド自在に被覆嵌合して成り、前記接続継手は、先端部が前記吸引ノズルホースに連結され、後端部に掃除機の吸引ホースに連結される嵌め合い形状を形成して成り、前記吸引ノズルホースを自動車のダッシュボードや座席シートなどの隙間に方向自在に差し込んで掃除することができる手段を採る。
【００１７】
また、本発明の異物吸引装置は、前記吸引ノズルホースの先端部に、吸引ノズルと、マウスピースと、を連結して構成される掃除機を利用した異物吸引装置であって、前記吸引ノズルは、所定の長さを有する軟質の合成樹脂素材で形成され、先端部には先端方向に向かってテーパ状に縮小する略球状の吸い口部を形成し、後端部が前記吸引ノズルホースの吸引口に連結して成り、前記マウスピースは、前記吸引ノズルがスライド自在に挿通されるスライド貫通穴を設けると共に、装着状態において噛形との間に隙間を形成させる肉盗み部を設けて成り、餅やゼリーなどの異物を喉頭に詰らせた状態において、該異物を前記吸引ノズルを用いて緊急的に除去処置することができる手段を採る。
【発明の効果】
【００１８】
本発明の異物吸引装置によれば、吸引ノズルホースの先端部に装着される吸引ノズルを差し替えることによって、自動車のダッシュボードや座席シートなどの隙間の掃除することができる隙間掃除用の異物吸引装置と、吸引ノズルホースの先端部に軟質の吸引ノズルを装着することによって、餅やゼリーなどの異物を喉頭に詰らせた状態において緊急的に除去処置することができる喉頭用の異物吸引装置と、を夫々の機能を生かして共有することができるといった優れた効果を奏する。
【００１９】
また、本発明の異物吸引装置によれば、吸引ノズルホースが所定の長さを有する軟質の合成樹脂素材で形成されていることによって、狭くて曲がりくねった奥深い隙間に吸引ノズルホースを差し込むことができると共に、直接吸引ノズルホースの外周面を握り締めることにより掃除機の吸引力を調整することができ、さらに、鴨居の隙間やタンスや照明器具の上面などの高所に付着したゴミやほこりも掃除することもできるといった優れた効果を奏する。
【００２０】
また、本発明の異物吸引装置によれば、吸引ノズルホースの先端部が斜め楕円状に切断される吸引口を形成し、該吸引口の周縁に複数の凹凸状の吸い込み溝が形成されていることによって、吸引する際に吸引ノズルホースの吸い込み口が掃除機の吸引力によって掃除される面と密着しないため、周辺のゴミやほこりを吸い込むことができると共に、吸引ノズルホースの吸い込み口の吸い込み角度を容易に調整することができるもので、狭くて曲がりくねった奥深い隙間空間であっても、その吸い込み角度を自由に確保できるといった優れた効果を奏する。
【００２１】
また、本発明の異物吸引装置によれば、スライド鞘管が所定の長さを有する硬質の合成樹脂素材で形成され、該円周部の所定箇所には長さ方向に延設されるスリット溝を設けて吸引ノズルホースにスライド自在に被覆嵌合していることによって、スライド鞘管の外周面を握り締めることで吸い込みの角度ならびに方向を自由に設定することができ、さらに吸引ノズルホースの先端部を狭くて奥深い隙間まで容易に挿入することができるという優れた効果を奏する。
【００２２】
また、本発明の異物吸引装置によれば、吸引ノズルが所定の長さを有する軟質の合成樹脂素材で形成され、さらに先端部が先端に向かってテーパ状に縮小する略球状の吸い口部が形成されていることによって、喉頭に異物が詰った状態で患者の咽頭部の喉下奥深くに吸引ノズルを挿入した場合でも患者の喉頭を傷つけることがない上に、吸引ノズルも衛生的にパック包装して保管することができるといった優れた効果を奏する。
【００２３】
また、本発明の異物吸引装置によれば、マウスピースがスライド貫通穴を介して吸引ノズルにスライド自在に装着されることによって、吸引ノズルを患者の喉頭に正確に挿入することができると共に、マウスピース側面に肉盗み部が設けられていることによって、装着状態において噛形との間に隙間を形成させて患者の喉頭に異物が詰った状態を外部から容易に視認することができるもので、さらにその隙間から手指を口部に差し込んで異物が詰った状態に合わせて的確な異物除去処置作業ができるといった優れた効果を奏する。
【図面の簡単な説明】
【００２４】
【図１】本発明の請求項１記載の異物吸引装置の全体を示す分解斜視図を用いた説明図である。（実施例１）
【図２】本発明の請求項１記載の異物吸引装置の吸引ノズルホースを示す説明図である。
【図３】本発明の請求項１記載の異物吸引装置の使用状態を示す説明図である。
【図４】本発明の請求項２記載の異物吸引装置の全体を示す分解斜視図を用いた説明図である。（実施例２）
【図５】本発明の請求項２記載の異物吸引装置の使用状態を示す説明図である。
【発明を実施するための形態】
【００２５】
本発明の異物吸引装置１０は、吸引ノズルホース２０と、スライド鞘管３０と、接続継手４０と、吸引ノズル５０と、マウスピース６０と、で構成される掃除機Ｓを利用した異物吸引装置１０であって、自動車のダッシュボードや座席シートなどの隙間の掃除することができる異物吸引装置１０と、餅やゼリーなどの異物を喉頭に詰らせた場合に緊急的に除去処置することができる異物吸引装置１０と、を夫々の機能を生かして共有することができる手段を採ったことを最大の特徴とする。以下、本発明にかかる異物吸引装置１０の実施形態を、図面を基に説明する。
【００２６】
なお、本発明の異物吸引装置１０の形状ならびに材質は、下記に述べる実施例に特に限定されるものでなく、本発明の技術的思想に逸脱しない範囲で任意に変更することができる。
【実施例１】
【００２７】
図１は、本発明の請求項１記載の異物吸引装置１０の全体を示す分解斜視図を用いた説明図である。
本発明の異物吸引装置１０は、吸引ノズルホース２０と、スライド鞘管３０と、接続継手４０と、で構成され、該吸引ノズルホース２０を自動車のダッシュボードや座席シートなどの隙間に方向自在に差し込んで掃除することができる、掃除機Ｓを利用した異物吸引装置１０である。
【００２８】
吸引ノズルホース２０は、所定の長さを有する軟質の合成樹脂素材で形成され、先端部に斜め楕円状に切断される吸引口２１を形成し、該吸引口２１の周縁には複数の凹凸状の吸い込み溝２２を形成し、後端部が接続継手４０に連結される。
【００２９】
スライド鞘管３０は、所定の長さを有する硬質の合成樹脂素材で形成され、円周部の一部には長さ方向に延設されるスリット溝３１が設けられており、該スリット溝３１を介して吸引ノズルホース２０にスライド自在に被覆嵌合される。
【００３０】
接続継手４０は、先端部が吸引ノズルホース２０に連結され、後端部に掃除機Ｓの吸引ホースＨに連結される嵌め合い口径が形成されて成る。
【００３１】
以上で構成される本発明の異物吸引装置１０は、軟質の合成樹脂素材で形成されることによって、狭くて曲がりくねった奥深い隙間に吸引ノズルホース２０を容易に差し込むことができると共に、吸引ノズルホース２０の先端部の吸引口２１が斜め楕円状に切断される形状を有すると共に、該吸引口２１の周縁に複数の凹凸状の吸い込み溝２２が形成されていることによって、吸引する際に吸引ノズルホース２０の吸い込み口２１が掃除機Ｓの吸引力によって掃除される面と密着しないため、周辺のゴミやほこりを吸い込むことができる。また、スライド鞘管３０の外周面を握り締めることで、吸い込みの角度ならびに方向を自由に設定することができ、さらに吸引ノズルホース２０の先端部を狭くて奥深い隙間まで容易に挿入することができる。さらにまた、直接吸引ノズルホース２０の外周面を握り締めることにより、掃除機Ｓの吸引力を調整することができる外、鴨居の隙間やタンスや照明器具の上面などの高所に付着したゴミやほこりを容易に掃除することもできる。
【００３２】
図２は、本発明の請求項１記載の異物吸引装置１０の吸引ノズルホース２０を示す説明図であり、図２（ａ）は該吸引ノズルホース２０を示す斜視図である。
本発明の吸引ノズルホース２０は、所定の長さを有する軟質の合成樹脂素材で形成されている。該吸引ノズルホース２０の先端部には、斜め楕円状に切断される吸引口２１が形成されると共に、該吸引口２１の周縁には複数の凹凸状の吸い込み溝２２が形成されている。そして、該吸引ノズルホース２０の後端部は、接続継手４０に連結される。
【００３３】
図２（ｂ）は、本発明の吸引ノズルホース２０の吸引状態を示す説明断面図である。
本発明の異物吸引装置１０の吸引ノズルホース２０は、先端部に斜め楕円状に切断される吸引口２１が形成され、かつ、該吸引口２１の周縁には複数の凹凸状の吸い込み溝２２が形成されることによって、吸引する際に吸引ノズルホース２０の吸い込み口２１が掃除機Ｓの吸引力によって掃除される面と密着しないため、周辺のゴミやほこりを吸い込むことができると共に、吸引ノズルホース２０の吸い込み口２１の吸い込み角度を容易に調整することができるもので、狭くて曲がりくねった奥深い隙間空間であってもその吸い込み角度を自由に確保できるものである。
【００３４】
図２（ｃ）は、従来の吸引ノズルホース２０の吸引状態を示す説明断面図である。
従来の異物吸引装置１０の吸引ノズルホース２０は、吸い込み口２１の形状が真円状に切断されているために、吸引する際に吸引ノズルホース２０の吸い込み口２１が掃除機Ｓの吸引力によって掃除される面と密着してしまうことによって、周辺のゴミやほこりを吸い込むことができないものであって、吸引ノズルホース２０の吸い込み口２１の吸い込み角度を調整しながら作業を行わなければならず、狭い場所ではその吸い込み角度を確保できない場合があったり、その吸い込み角度を維持する手首の疲労負担が強いられるものであった。
【００３５】
図３は、本発明の請求項１記載の異物吸引装置１０の使用状態を示す説明図であり、図３（ａ）は、自動車の座席シートを掃除するときの吸引ノズルホース２０の吸引状態を示している。
本発明の異物吸引装置１０は、吸引ノズルホース２０が所定の長さを有する軟質の合成樹脂素材で形成されていることによって、狭くて曲がりくねった奥深い隙間に吸引ノズルホース２０を容易に差し込むことができると共に、自動車の座席シートやダッシュボードなどの隙間の掃除をしたり、直接吸引ノズルホース２０外周面を握り締めることにより、掃除機Ｓの吸引力を調整することができる。
【００３６】
図３（ｂ）は、掃除するときの吸引ノズルホース２０の吸引状態を示している。
本発明の異物吸引装置１０は、スライド鞘管３０が所定の長さを有する硬質の合成樹脂素材で形成され、該スライド鞘管３０の円周部所定箇所には長さ方向に延設されるスリット溝３１が設けられて吸引ノズルホース２０にスライド自在に被覆嵌合していることによって、スライド鞘管３１の外周面を握り締めることで吸い込みの角度を自由に設定することができ、さらに狭くて奥深い隙間まで吸引ノズルホース２０の先端部を容易に挿入することができる。
【実施例２】
【００３７】
図４は、本発明の請求項２記載の異物吸引装置１０の全体を示す説明図である。
本発明の異物吸引装置１０は、吸引ノズルホース２０の先端部に、吸引ノズル５０と、マウスピース６０と、を連結して構成され、餅やゼリーなどの異物を喉頭に詰らせた状態において、該異物を吸引ノズル５０を用いて緊急的に除去処置することができるものである。
【００３８】
吸引ノズル５０は、所定の長さを有する軟質の合成樹脂素材で形成され、その先端部には先端方向に向かってテーパ状に縮小する略球状の吸い口部５１を形成し、後端部が吸引ノズルホース２０の先端部の吸引口２１に連結される。
【００３９】
マウスピース６０は、吸引ノズル５０がスライド自在に挿通されるスライド貫通穴６１を設けると共に、装着状態において噛形との間に隙間を形成させる肉盗み部６２を設けて形成される。
【００４０】
図５は、本発明の請求項２記載の異物吸引装置１０の使用状態を示す説明図であり、図５（ａ）は、本発明の異物吸引装置１０の吸引状態を示す側面図を利用した説明図である。
本発明の異物吸引装置１０は、吸引ノズル５０が所定の長さを有する軟質の合成樹脂素材で形成され、さらに先端部に先端方向に向かってテーパ状に縮小する略球状の吸い口部５１が形成されていることによって、喉頭に異物が詰った状態で患者の喉頭の喉下奥深くに吸引ノズル５０を挿入した場合であっても、患者の喉頭を傷つけることがない上に、吸引ノズル５０も衛生的にパック包装して保管することができると共に、マウスピース６０がスライド貫通穴６１を介して吸引ノズル５０にスライド自在に装着されることによって、吸引ノズル５０を患者の喉頭に正確に挿入することができる。
【００４１】
図５（ｂ）は、本発明の異物吸引装置１０の吸引状態を示す正面図を利用した説明図である。
マウスピース６０側面に肉盗み部６２が設けられていることによって、マウスピース６０が吸引ノズル５０に装着された状態において噛形との間に隙間を形成させて、患者の喉頭に異物が詰った状態を外部から視認することができる。さらにその隙間から手指を口部に差し込むことが可能であって、異物が詰った状態に合わせて適確な異物除去処置作業ができるものである。
【００４２】
以上で構成される本発明の異物吸引装置１０は、喉頭に異物が詰った状態で患者の喉頭部の喉下奥深くに吸引ノズル５０を挿入した場合であっても、患者の喉頭を傷つけることがない上に、吸引ノズル５０も衛生的にパック包装して保管することができる。また、患者の口部をこじ開けた状態で、マウスピース６０の肉盗み部６２が設けられていない幅小な辺をねじ込み、さらに肉盗み部６２が設けられている幅大な辺方向に回転させて患者の口部を大きく開かせた状態にすることで、異物除去処置作業を適確に行うことができる状態にすることが可能である。
【産業上の利用可能性】
【００４３】
本発明の異物吸引装置は、自動車のダッシュボードや座席シートなどの隙間の掃除することができる異物吸引装置としてや、餅やゼリーなどの異物を喉頭に詰らせた状態において緊急的に除去処置することができる異物吸引装置として使用することができることから、一般家庭における利便性と医療上の応急処置性を併せ持つ日用品として巾広く利用することができるもので、本発明における異物吸引装置の産業上の利用可能性は大であると解する。
【符号の説明】
【００４４】
１０    異物吸引装置
２０    吸引ノズルホース
２１    吸引口
２２    吸い込み溝
３０    スライド鞘管
３１    スリット溝
４０    接続継手
５０    吸引ノズル
５１    吸い口部
６０    マウスピース
６１    スライド貫通穴
６２    肉盗み部
Ｓ    掃除機
Ｈ    吸引ホース
【図１】
2014039728.tif 000003
【図２】
2014039728.tif 000004
【図３】
2014039728.tif 000005
【図４】
2014039728.tif 000006
【図５】
2014039728.tif 000007